(57)【要約】  爪に対する着脱に特別な道具を必要とせずに容易に行うことができ、取扱がきわめて簡便な巻き爪用の爪整形具（１）およびその爪整形具（１）を用いたつけ爪に関する発明である。爪整形具（１）は爪（Ａ）の表面に装着されるもので、バネ板材をもって爪（Ａ）の幅に対応する幅に形成された本体部（２）を有する。本体部（２）の先端縁（２ｆ）の両側部分には下方へ折り返された左右一対の止め片（３，３）が設けられる。各止め片（３，３）と本体部（２）との間には爪先が入り込んで止められる溝（６）が形成されている。前記溝（６）に爪先が入り込んだ状態のとき、本体部（２）が撓んでその両側部分に復元力が生じ、爪（Ａ）が正常な形態に整形される。
2007129414.tif 000002
【特許請求の範囲】
【請求項１】
爪の表面に装着される巻き爪用の爪整形具であって、バネ板材をもって爪の幅に対応する幅に形成された本体部を有し、前記本体部の先端縁の少なくとも両側部分に下方へ折り返された止め片が設けられるとともに、この止め片と本体部との間に爪先が入り込んで止められる溝が形成されており、前記溝に爪先が入り込んだ状態のとき、本体部が撓んでその両側部分に復元力を生じさせるようにした巻き爪用の爪整形具。
【請求項２】
前記本体部の表面は、彩色により装飾が施されている請求項１に記載された巻き爪用の爪整形具。
【請求項３】
前記本体部の裏面は、爪の表面に貼着可能な貼着面になっている請求項１に記載された巻き爪用の爪整形具。
【請求項４】
前記本体部の前端縁と後端縁の少なくとも一方は、幅中央部が内側にくびれている請求項１に記載された巻き爪用の爪整形具。
【請求項５】
前記溝は、爪の厚みに応じて止め片が押し広げられることにより溝開口が開くようになっている請求項１に記載された巻き爪用の爪整形具。
【請求項６】
請求項１に記載された巻き爪用の爪整形具であって、前記本体部を覆った状態で爪の表面に貼設されるシート状のカバーをさらに備えている巻き爪用の爪整形具。
【請求項７】
請求項１に記載された巻き爪用の爪整形具であって、前記本体部を覆った状態で指に巻き付けられかつ指の表面に貼設される絆創膏をさらに備えている巻き爪用の爪整形具。
【請求項８】
請求項１に記載された巻き爪用の爪整形具であって、前記本体部を覆った状態で指に巻き付けられかつ指の表面に貼設される絆創膏をさらに備え、
前記絆創膏は、粘着面を有するシート状基材と、シート状基材の粘着面を覆うように剥離可能に貼設される剥離紙とを有し、前記シート状基材の長さ中央部の粘着面上にはパッドが固定されている巻き爪用の爪整形具。
【請求項９】
前記パッドの少なくとも両端部には薬剤が含浸または塗布されている請求項８に記載された巻き爪用の爪整形具。
【請求項１０】
爪の表面に装着される巻き爪用の爪整形具と、爪の形状を有する爪板と、爪整形具の表面に爪板を固定する固定手段とで構成されるつけ爪であって、
前記爪整形具は、バネ板材をもって爪の幅に対応する幅に形成された本体部を有し、前記本体部の先端縁の少なくとも両端部分に下方に折り返された止め片が設けられるとともに、この止め片と本体部との間に爪先が入り込んで止められる溝が形成されており、前記溝に爪先が入り込んだ状態のとき、本体部が撓んでその両側部分に復元力を生じさせるようにした、つけ爪。
【発明の詳細な説明】
【技術分野】
【０００１】
この発明は、巻き爪を正常な爪の形態に整形するのに用いられる巻き爪用の爪整形具と、その爪整形具が用いられたつけ爪とに関する。
【背景技術】
【０００２】
手足の爪のうち、特に、足の親指の爪は、図１８に示すように、爪Ａの両側縁Ａ１，Ａ２が内側に巻き込むように変形し易い。そのように変形した爪Ａは、一般に「巻き爪」と呼ばれ、見栄えが悪いだけでなく、両側縁Ａ１，Ａ２の特に先端部分が指先を圧迫して指肉に食い込み、炎症を伴なう痛みを生じさせることがある。
従来、この種の巻き爪は、医師の指導の下に矯正や治療が行われており、同図に示すように、爪Ａの先端部分にワイヤーＢを入れ、このワイヤーＢによって巻いた状態の爪Ａを拡げるようにしている。【０００３】
しかし、ワイヤーＢによる上記の矯正方法は、医師の指導の下に実施されるもので、患者自らは容易に行えない。また、巻き爪の症状には程度があり、重症であれば医師による施療は不可欠となるが、軽症であれば医師によらなくても患者自らが巻き爪の矯正や改善、もしくは爪の整形を行うことも可能である。【０００４】
従来、患者自らが実施可能な巻き爪の矯正方法として、板ばねを撓ませた状態で接着剤により爪の表面に接着し、板ばねの復元力を爪に作用させることにより、変形した爪を正常の形態に矯正する、という方法が試みられている。
しかし、装着された板ばねが爪の表面から剥がれ易い、という問題があり、この問題を解決するために、爪の表面に接着された矯正板の表面を含むように爪の表面に固化剤を塗布する、という方法も提案されている（例えば、特許文献１参照）。【０００５】
【特許文献１】日本国公開特許公報  ２００５−６６００３号
【０００６】
しかし、その種の矯正具では、固化剤を塗布するのにハケなどの塗布具を用いる必要があり、また、矯正板を爪から剥がすのに、先が尖った治具を用いる必要があるため、爪に対する矯正具の着脱に手数がかかり、取扱が簡便でない、という問題があった。【０００７】
この発明は、上記問題に着目してなされたもので、爪に対する着脱に特別な道具を必要とせずに容易に行うことができ、取扱がきわめて簡便な巻き爪用の爪整形具と、その爪整形具が用いられたつけ爪とを提供することを目的とする。
【発明の開示】
【０００８】
この発明による巻き爪用の爪整形具は、爪の表面に装着されるものであって、バネ板材をもって爪の幅に対応する幅に形成された本体部を有し、本体部の先端縁の少なくとも両側部分に下方へ折り返された止め片が設けられるとともに、止め片と本体部との間には爪先が入り込んで止められる溝が形成されており、前記溝に爪先が入り込んだ状態のとき、本体部が撓んでその両側部分に復元力を生じさせるものである。
【０００９】
上記構成の爪整形具によれば、適当に伸びた爪の先端縁に止め片を上方より引っ掛けると、止め片と本体部との間の溝に爪先が入り込み、爪整形具は爪の表面に装着された状態となる。溝に爪先が入り込んだ状態のとき、本体部が撓んで弾性変形し、それにより本体部の両側部分に復元力が生じるので、巻いた状態の爪が拡げられて爪が正常な形態に整形される。
【００１０】
したがって、上記構成の爪整形具によれば、特別な道具を必要とせずに爪に対する着脱を容易に行うことができるので、医師によらなくても患者自らが巻き爪の矯正や改善、もしくは爪の整形を行うことができる。
【００１１】
この発明の好ましい実施態様においては、前記本体部の表面は、彩色により装飾が施されている。この実施態様によると、爪整形具を装着することによる見栄えの低下が防止できるだけでなく、巻き爪が正常な形態に整形されることと相俟って、お洒落な爪となる。
【００１２】
この発明の他の好ましい実施態様においては、前記本体部の裏面は、爪の表面に貼着可能な貼着面になっている。この貼着面は、例えば、両面粘着テープを本体部の裏面に貼付することにより形成し得る。この実施態様によれば、本体部の位置ずれが防止され、溝に爪先が入り込んだ状態で安定保持されるので、爪整形具の脱落を防止でき、本体部の両側部分に生じる復元力を確実に爪に作用させることができる。
【００１３】
本体部を撓み易くするために、好ましい実施態様では、本体部の前端縁と後端縁の少なくとも一方は、幅中央部が内側にくびれた形状となっている。
また、爪の厚みは人によって異なるので、他の好ましい実施態様では、前記溝は、爪の厚みに応じて止め片が押し広げられることにより溝開口が開くようになっている。
【００１４】
この発明による爪整形具の他の好ましい実施態様は、前記本体部を覆った状態で爪の表面に貼設されるシート状のカバーをさらに備えたものである。この実施態様においては、カバーによって本体部が爪の表面に密接した状態で保持されるので、本体部の脱落が防止されるだけでなく、本体部の周縁部分がめくれ上がって靴下などに引っ掛かるなどのおそれがない。
【００１５】
この発明による爪整形具のさらに他の好ましい実施態様は、前記本体部を覆った状態で指に巻き付けられかつ指の表面に貼設される絆創膏をさらに備えたものである。この実施態様においても、絆創膏によって本体部が爪の表面に密接した状態で保持されるので、本体部の脱落が防止されるだけでなく、本体部の周縁部分がめくれ上がって靴下などに引っ掛かるなどのおそれがない。加えて、絆創膏によって本体部の中央部が爪の表面に押し付けられ、その押圧力が本体部の両側部分を反らせように作用するので、巻いた状態の爪を拡げる機能が高められる。
【００１６】
前記絆創膏は、好ましくは、粘着面を有するシート状基材と、シート状基材の粘着面を覆うように剥離可能に貼設される剥離紙とを有し、前記シート状基材の長さ中央部の粘着面上にはパッドが固定されたものであるが、これに限らず、パッドが設けられていないものを用いることもできる。
【００１７】
パッドが設けられた絆創膏の場合、少なくともパッドの両端部に創傷治療薬のような薬剤を含浸または塗布しておけば、巻き爪の両端縁による創傷部分を併せて治療できる。
【００１８】
この発明による爪整形具は、爪の形状を有する爪板と、爪整形具の表面に爪板を固定する固定手段とでつけ爪を構成することができる。この実施態様によると、爪整形具により爪が整形されるとともに、爪板によってファッショナブルな爪となる。
【図面の簡単な説明】
【００１９】
【図１】この発明の一実施例である爪整形具の外観および使用状態を示す斜視図である。
【図２】爪整形具の背面図である。
【図３】図１のＩ−Ｉ線に沿う断面図である。
【図４】爪整形具を爪に装着した状態を示す正面図である。
【図５】爪整形具の他の実施例を示す背面図である。
【図６】爪整形具のさらに他の実施例を示す背面図である。
【図７】爪整形具のさらに他の実施例を示す背面図である。
【図８】爪整形具のさらに他の実施例を示す断面図である。
【図９】爪整形具のさらに他の実施例を示す平面図である。
【図１０】爪整形具のさらに他の実施例を示す斜視図である。
【図１１】図１０の爪整形具の断面図である。
【図１２】図１０の爪整形具を爪に装着した状態を示す斜視図である。
【図１３】絆創膏の他の実施例を示す平面図である。
【図１４】絆創膏の他の実施例を示す断面図である。
【図１５】シート状基材の他の実施例を示す断面図である。
【図１６】本体部の他の固定方法を示す平面図である。
【図１７】この発明の一実施例であるつけ爪の外観および使用状態を示す斜視図である。
【図１８】従来の巻き爪の矯正方法を示す斜視図である。
【発明を実施するための最良の形態】
【００２０】
図１は、この発明の一実施例である爪整形具１の外観および使用状態を示している。
図示例の爪整形具１は、爪Ａの表面に装着して巻き爪を矯正もしくは改善したり、爪の形態を整えたりするためのもので、鋼、ステンレスなどの金属板や合成樹脂板などのバネ板材をもって爪Ａの幅Ｄに対応する幅ｄ（ただしｄ＜Ｄ）に形成されている。【００２１】
爪整形具１の本体部２は、平板状もしくは爪Ａの表面形状に沿ってわずかに湾曲する形態のものである。この本体部２は、図２〜図４に示すように、先端縁２ｆの両側部分が下方へ折り返されて、左右一対の止め片３，３が一体形成されている。本体部２の先端縁２ｆの左右の止め片３，３間には、内側へくびれたくびれ部４が形成されている。また、本体部２の後端縁２ｂにも同様のくびれ部５が形成されており、これらのくびれ部４，５の存在によって本体部２は幅中央部で撓み易い形状になっている。【００２２】
前記本体部２の表面は、彩色により装飾が施された装飾面２ａになっている。この装飾面２ａは印刷によって形成してもよく、また、シールを貼付して形成してもよい。【００２３】
前記止め片３，３と本体部２との間には爪Ａの先端部が入り込んで引っ掛かる溝６，６が形成されている。各止め片３は、折り返し部分が円弧状であり、この円弧状部３ａの先端側が開放されて開口部３ｂになっている。前記溝６の深さｔは、円弧状部３ａにおいて深くなっており、円弧状部３ａと開口部３ｂとの間の角状部３ｃにおいて最も狭くなっている。前記開口部３ｂは、爪Ａを挿入し易くするために、先端縁が押し広げられた形状に形成されている。
左右の各止め片３，３は、爪Ａの厚みに応じて押し広げられて開口部３ｂが開くので、厚みが異なる爪Ａであっても溝６内に入り込むことができる。また、角部３ｃは爪Ａの裏面に当接しかつ止め片３の復元力によって圧接されるので、爪Ａが溝６内に止められて抜けが阻止される。【００２４】
図５に示す実施例の爪整形具１では、左右の各止め片３，３が小幅に設定されるとともに、前端縁２ｆの側のくびれ部４がほぼ幅全長にわたるように形成されている。
なお、上記した２つの実施例では、本体部２の前端縁２ｆと後端縁２ｂとの両方にくびれ部４，５がそれぞれ形成されているが、図６に示すように、前端縁２ｆにのみくびれ部４を形成してもよく、図７に示すように、後端縁２ｂにのみくびれ部５を形成してもよい。
また、上記の各実施例では、本体部２の前端縁２ｆの両側部分を下方へ折り返して左右一対の止め片３，３を一体形成しているが、図７に示す実施例のように、本体部２の前端縁２ｆを全幅にわたって下方へ折り返して１個の止め片３を一体形成してもよい。【００２５】
この発明にかかる爪整形具１は、バネ板材をもって形成されているので、前記本体部２は可撓性を有しており、爪Ａの大きさや表面形状に応じて本体部２の湾曲形態や撓み状態を適宜調整することが可能である。左右の溝６に爪Ａの先端部が入り込んだ状態のとき、本体部２が爪Ａの表面上に覆い被さり、かつ、本体部２の幅中央部に対して両側部分が下方へ撓むように、本体部１を形態設定しておく。本体部２の両側部分では、本体部２の弾性変形による復元力Ｆ（図４参照）が爪Ａの両側縁を押し上げる方向に生じるので、爪の整形に必要な復元力の大きさに応じて、本体部１の湾曲形態や撓み状態を調整する。【００２６】
図８は、この発明の他の実施例を示している。
図示例の爪整形具１は、前記本体部２の裏面に両面粘着テープ２０を貼付したもので、本体部２の裏面には、両面粘着テープ２０によって、爪Ａの表面に貼着可能な貼着面２１が形成されている。なお、図示していないが、爪整形具１を使用する前には、前記貼着面２１には剥離紙が貼付してある。【００２７】
図９は、爪整形具１のさらに他の実施例を示している。
図示例の爪整形具１は、前記本体部２を覆った状態で爪Ａの表面にシート状のカバー１１を貼設して構成されている。前記カバー１１は、本体部２の表面に彩色により装飾が施されている場合には、透明な材料により形成されるが、カバー１１の表面に彩色により装飾が施される場合には、非透明な材料により形成される。カバー１１の下面には前記本体部２および爪Ａの表面に貼着することが可能な粘着面が設けられる。
なお、この実施例の本体部２には、図８までに示した各構成例を適用することができる。【００２８】
図１０〜図１２は、この発明のさらに他の実施例を示している。
図示例の爪整形具１は、前記本体部２のほか、この本体部２を覆った状態で指Ｃに巻き付けられかつ指Ｃの表面に貼設される絆創膏１３をさらに備えたものである。図示例の絆創膏１３は、粘着面１４を有するシート状基材１５と、シート状基材１５の粘着面１４を覆うように剥離可能に貼設される左右一対の剥離紙１６，１６とを有するもので、シート状基材１５の長さ中央部の粘着面１４上にはパッド１７が固定されている。なお、シート状基材１５の表面に装飾を施してもよい。【００２９】
前記シート状基材１５として、ポリ塩化ビニル樹脂、ポリウレタン系樹脂、ポリエチレン系樹脂、ポリプロピレン系樹脂、ポリアクリル系樹脂などのプラスチックシートの他、織布や不織布を用いることができるが、柔軟で可撓性を有するものであれば、材質は特に限定されない。また、前記粘着面１４を構成する粘着剤としては、アクリル系粘着剤や天然ゴムなどのゴム系粘着剤などを用いることができる。なお、粘着面１４に薬剤を含有させてもよい。
また、前記パッド１７は、不織布、織布、ガーゼ、綿片、連続気泡発泡体などのシート材を用いて構成される。【００３０】
前記剥離紙１６としては、例えば、シリコーン離型処理された上質紙や中質紙のような紙基材の他、ポリエステルフィルムやポリエチレンフィルムなどを用いることができるが、その材質は特に限定されない。【００３１】
本体部２の表面には両面粘着テープ１８が貼付され、これにより両面粘着テープ１８による貼着面１９が形成されている。なお、図示していないが、爪整形具１を使用する前には、前記貼着面１９に剥離紙が貼付してある。
なお、上記の実施例では、図１〜４に示した構成の本体部２を使用しているが、これに限らず、図５〜８に示した各実施例の本体部２を使用してもよい。以下の図１４〜１６に示す実施例でも同様である。【００３２】
本体部２と絆創膏１３のパッド１７とを接合するには、両面粘着テープ１８を用いるほか、図１３に示すように、パッド１７の表面に粘着剤による貼着面１９を形成しておき、その貼着面１９に本体部２を接合するようにしてもよい。図１３の例では、パッド１７の両端部を除く全面に貼着面１９が形成され、パッド１７の両端部には、薬剤の含浸または塗布により、薬剤の塗着部２３，２３が形成されている。
薬剤としては、殺菌剤や消毒剤の他、巻き爪による指先の創傷部分の治療に有効かつ効果的な創傷治療剤を用いるのが望ましい。【００３３】
図１４に示す実施例は、シート状基材１５とパッド１７との間に、ゴム、発泡材などの弾性体２４を介在させたものである。この弾性体２４の弾性復元力によって本体部２の中央部が押圧され、その押圧力が本体部２の両側部分を反らせるように作用するもので、これにより巻いた状態の爪を拡げる機能が高められる。【００３４】
図１０〜１４に示した各実施例では、絆創膏１３としてシート状基材１５の長さ中央部の粘着面１４上にパッド１７を固定させたものを用いているが、これに限らず、図１５に示すように、パッドが設けられていないものを用いることもできる。本体部２の表面に装飾が施されている場合、シート状基材１５として透明な材質のものを用いれば、本体部２の表面の装飾が外部に見えて装飾効果が高められる。【００３５】
また、絆創膏１３にパッド１７を固定したタイプの実施例では、本体部２はシート状基材１５のパッド１７に粘着剤を介して固着されているが、図１６に示すように、パッド１７に切込み２５を形成するなどして、本体部２を挿入して保持し得るポケット２６を形成してもよい。この場合、ポケット２６は止め片３のみが外部に露出する深さに設定する。【００３６】
図１７は、この発明による爪整形具１が用いられたつけ爪１０を示している。図示例のつけ爪１０は、爪の形状を有する合成樹脂製の爪板１２を爪整形具１の本体部２の表面に接着剤により固定したものである。なお、爪整形具１の表面に爪板１２を固定する固定手段は必ずしも接着剤である必要はなく、例えば、爪整形具１の表面と爪板１２の下面との間に互いに咬み合う面ファスナーなどを取り付けてもよい。
なお、このつけ爪１０の爪整形具１には、１〜８に示した各実施例を採用することができる。【００３７】
上記した各構成の爪整形具１を爪Ａの表面に装着するには、適当に伸びた爪Ａの先端縁に左右の止め片３，３を上方から係合する。これにより、止め片３と本体部２との間の溝６に爪Ａの先端部が入り込んで止められ、本体部２が爪Ａの表面上に覆い被さる。溝６に爪先が入り込んだ状態のとき、本体部２の幅中央部に対して両側部分が下方へ撓むように弾性変形し、その結果、本体部２の両側部分には爪Ａの両側縁を押し上げる方向の復元力が生じるので、巻いた状態の爪Ａが拡げられて正常な形態に整形される。
【図１】
2007129414.tif 000003
【図２】
2007129414.tif 000004
【図３】
2007129414.tif 000005
【図４】
2007129414.tif 000006
【図５】
2007129414.tif 000007
【図６】
2007129414.tif 000008
【図７】
2007129414.tif 000009
【図８】
2007129414.tif 000010
【図９】
2007129414.tif 000011
【図１０】
2007129414.tif 000012
【図１１】
2007129414.tif 000013
【図１２】
2007129414.tif 000014
【図１３】
2007129414.tif 000015
【図１４】
2007129414.tif 000016
【図１５】
2007129414.tif 000017
【図１６】
2007129414.tif 000018
【図１７】
2007129414.tif 000019
【図１８】
2007129414.tif 000020
【手続補正書】
【提出日】平成21年1月23日(2009.1.23)
【手続補正１】
【補正対象書類名】明細書
【補正対象項目名】００２５
【補正方法】変更
【補正の内容】
【００２５】
この発明にかかる爪整形具１は、バネ板材をもって形成されているので、前記本体部２は可撓性を有しており、爪Ａの大きさや表面形状に応じて本体部２の湾曲形態や撓み状態を適宜調整することが可能である。左右の溝６に爪Ａの先端部が入り込んだ状態のとき、本体部２が爪Ａの表面上に覆い被さり、かつ、本体部２の幅中央部に対して両側部分が下方へ撓むように、本体部２を形態設定しておく。本体部２の両側部分では、本体部２の弾性変形による復元力Ｆ（図４参照）が爪Ａの両側縁を押し上げる方向に生じるので、爪の整形に必要な復元力の大きさに応じて、本体部２の湾曲形態や撓み状態を調整する。
【手続補正２】
【補正対象書類名】明細書
【補正対象項目名】００３６
【補正方法】変更
【補正の内容】
【００３６】
図１７は、この発明による爪整形具１が用いられたつけ爪１０を示している。図示例のつけ爪１０は、爪の形状を有する合成樹脂製の爪板１２を爪整形具１の本体部２の表面に接着剤により固定したものである。なお、爪整形具１の表面に爪板１２を固定する固定手段は必ずしも接着剤である必要はなく、例えば、爪整形具１の表面と爪板１２の下面との間に互いに咬み合う面ファスナーなどを取り付けてもよい。
なお、このつけ爪１０の爪整形具１には、図１〜８に示した各実施例を採用することができる。
【国際調査報告】
2007129414.tif 000021
2007129414.tif 000022
2007129414.tif 000023
2007129414.tif 000024